(57)【要約】      （修正有）【課題】プロペラ水車を利用して水をくみ上げるポンプにおいて、安全かつ設置作業が容易に行えるようにする。【解決手段】水流駆動ポンプとして、プロペラ水車１０と、前記プロペラ水車の回転軸１２の回転に連動して駆動する、水中内に吐出口を有するポンプ２０と、前記ポンプ２０の吐出口に連結され、吐出される水を水上に導くパイプ体３０と、少なくとも前記プロペラ水車１０を覆い、プロペラ水車１０への水流をほとんど妨げない穴が設けられたカバー５０と、前記プロペラ水車１０、ポンプ２０、パイプ体３０、カバー５０を保持固定するフレーム４０とを設ける。【選択図】図１
0003136975.tif 000002
【実用新案登録請求の範囲】
【請求項１】
プロペラ水車と
前記プロペラ水車の回転軸の回転に連動して駆動する、水中内に吐出口を有するポンプと、
前記ポンプの吐出口に連結され、吐出される水を水上に導くパイプ体と、
少なくとも前記プロペラ水車を覆い、プロペラ水車への水流をほとんど妨げない穴が設けられたカバーと、
前記プロペラ水車、ポンプ、パイプ体、カバーを保持固定するフレームと
を有する水流駆動ポンプ。
【請求項２】
前記フレームもしくはカバーには、水流を受けて下方側に押し付けられる力が生じる羽根が設けられる請求項１に記載の水流駆動ポンプ。
【考案の詳細な説明】
【技術分野】
【０００１】
本考案は、河川や水路内に配置し水をくみ上げるポンプに関する。
【背景技術】
【０００２】
水路や河川から水力を利用して水をくみ上げる方法として、水車が知られている。しかし、水車は設備が大掛かりになるという問題がある。これに対して、下記特許文献に記載の考案は、プロペラ水車とスクリューポンプを組み合わせて、水路内で回転するプロペラ水車の回転軸にスクリューポンプの回転軸を連動させ、スクリューポンプにより水をくみ上げる考案が示されている。
【特許文献１】特開平７−２２０９６号公報
【考案の開示】
【考案が解決しようとする課題】
【０００３】
しかし、上記特許文献に記載の考案は、スクリューポンプを用いているために、スクリューが剥き出しになり、常時設置していることを考えると、水路に落ちた人になどに対して危険であり、また、設置作業も大変である。
本考案は、このような問題に鑑みて、プロペラ水車を利用して水をくみ上げるポンプにおいて、安全かつ設置作業が容易に行えるようにすることを課題とする。
【課題を解決するための手段】
【０００４】
上記課題を解決するために、本考案は次のような構成を有する。
請求項１に記載の考案は、プロペラ水車と、前記プロペラ水車の回転軸の回転に連動して駆動する、水中内に吐出口を有するポンプと、前記ポンプの吐出口に連結され、吐出される水を水上に導くパイプ体と、少なくとも前記プロペラ水車を覆い、プロペラ水車への水流をほとんど妨げない穴が設けられたカバーと、前記プロペラ水車、ポンプ、パイプ体、カバーを保持固定するフレームとを有する水流駆動ポンプである。
請求項２に記載の考案は、前記水流駆動ポンプにおいて、前記フレームもしくはカバーには、水流を受けて下方側に押し付ける力が生じる羽根が設けられるものである。
【考案の効果】
【０００５】
請求項１に記載の考案は、水中内に吐出口を有するポンプを用い、水をパイプにより水上に導くものであり、また、プロペラ水車もカバーにより覆われるものであるため、安全に設置することができ、また、フレームに構成要素が一体に固定され、パイプの先端を水上に残してフレームごと水中に設置すればよいので設置作業も容易に行うことができる。
請求項２に記載の考案は、水流を受けて下方側に押し付ける力が生じる羽根が設けられるので、水中にフレームごと置くだけで、水流により本体が水底に羽根の作用で押し付けられ、本体を水底に固定することができる。
【考案を実施するための最良の形態】
【０００６】
以下、本考案の実施形態について、図を参照しながら説明する。
図１に本実施形態に係る水流駆動ポンプＸの一部破断斜視図を示す。水流駆動ポンプＸは、プロペラ水車１０、軸流ポンプ２０、パイプ体３０、フレーム４０、カバー５０から構成される。
プロペラ水車１０は、固定翼の外周に円筒状のカバーが設けられたプロペラ水車本体１１と、プロペラ水車本体１１の回転軸に固定される軸体１２と、軸体１２を回動可能にフレーム４０に支持固定する軸受けユニット１３、１４とから構成される。
【０００７】
軸流ポンプ２０は、一般な軸流ポンプであり、流入口がプロペラ水車側に設けられ、吐出口が流入口の直後に形成される。そして、軸流ポンプ２０の羽根の回転軸はプロペラ水車１０の軸体１２端部に固定されており、これによりプロペラ水車本体１１により回転する軸体１２の回転に連動して軸流ポンプ２０も回転し駆動することとなる。
パイプ体３０は、軸流ポンプ２０直後に設けられる、上下に延びるパイプ体であって下端側が軸流ポンプ２０側に折り曲げられるとともに軸流ポンプ２０の吐出口に連結し、上端側は横方向に曲げられ、排出口を形成する。
【０００８】
フレーム４０は、底面を構成する板体からなる底板４１と、底板４１に立設される、溶接により板体を門型に形成した２つの門型部材４２、４３とから構成される。門型部材４２、４３の上方の水平に形成される板体には、前述したプロペラ水車１０の軸受けユニット１３、１４が固定される。また、後方側の門型部材４３の垂直に形成される両板体間の、上面板の直下に幅広の板体４３ａが後方側が張り出すように水平に溶接固定され、この板体４３ａの上に軸流ポンプ２０が固定される。また、門型部材４２、４３の垂直に形成される板体の下端近傍には、雌ねじ４４が形成される。
また、フレーム４０には押し付け羽根６１、６２、６３が固定される。押し付け羽根６１、６２、６３は、前方に向って下る傾斜した３枚の板体から形成される。押し付け羽根６１、６２は、それぞれフレーム４０の門型部材４２、４３の垂直に形成される両板体間に固定され、押し付け羽根６３は、端部を垂直に折り曲げることで形成される脚をフレーム４０の底板４１上に固定されている。
カバー５０は、下面と後面が開放した箱体であり、側面に形成される穴を介して、フレーム４０の門型部材４１、４２に形成される雌ねじ４４にボルトにより固定される。カバー５０の前面側は網により形成され、これによりプロペラ水車１０へ小石や枯葉などが流入することを防ぐ一方で、水流をほとんど妨げず通すことができる。また、カバー５０の後方の開放した開口はパイプ体３０が通っている。
【０００９】
次に、以上のような構成を有する水流駆動ポンプＸの使用方法について説明する。使用者は、まず、プロペラ水車１０側が上流に向うように、畑や水田脇の水路に水流駆動ポンプＸを沈める。この際、設置面が平らな場所であることが望ましい。水流駆動ポンプＸは水の底に位置すると、押し付け羽根６１〜６３は水流向って下がるような傾斜を有するので、水流駆動ポンプＸ全体が水流によって下方に押し付けられ、水底で固定される。この状態で、プロペラ水車１０は水流によって回転し、プロペラ水車１０の軸体１２と連動する軸流ポンプ２０も回転駆動する。これにより、軸流ポンプ２０は水を吸い込み、吸い込まれた水は吐出口からパイプ体３０へと導かれ、パイプ体３０内を上方に運ばれ上端の排出口から流れ出すことになる。パイプ体３０の上端の開口を畑や水田上に位置づけることで、水路の水を畑や水田に汲み入れることができる。
水流駆動ポンプＸは回転部分はカバー５０により覆われているので、水路内に人が入っても安全であり、また、全体が一体に形成されているので、設置作業も比較的容易に行える。また、メンテナンス時には引き上げて、カバー５０を取り外せば機構部分が表出するので、簡易にメンテナンスを行うことができる。
【図面の簡単な説明】
【００１０】
【図１】実施形態に係る水流駆動ポンプの一部破断斜視図である。
【符号の説明】
【００１１】
Ｘ    水流駆動ポンプ
１０    プロペラ水車
１２    軸体
２０    軸流ポンプ
３０    パイプ体
４０    フレーム
５０    カバー
６１、６２、６３  押し付け羽根
【図１】
0003136975.tif 000003